(57)【要約】【課題】ブラインド羽根の平面形状を種々に変え、且つ表裏面にそれぞれ異なった装飾部・広告部を付与することで、展開した状態でのデザイン性を高めることができるブラインドを提供する。【解決手段】複数のブラインド羽根１ａ、１ｂ、１ｃ…を備えてなる縦型もしくは横型のブラインドであって、当該ブラインド羽根１ａ、１ｂ、１ｃ…それぞれの平面形状が長手方向に沿って、直線型・波型・矩形波型・ジグザグ型・円弧連設型、あるいは直線と円弧の交互連鎖型等の形態を備えた長尺シートにて形成する。そして、ブラインド羽根集合部分の表面と裏面には、それぞれ異なる装飾部・広告部１６を形成する。【選択図】図３
2010270435.tif 000002
【特許請求の範囲】
【請求項１】
複数のブラインド羽根を備えてなる縦型もしくは横型のブラインドであって、当該ブラインド羽根それぞれの平面形状が長手方向に沿って、直線型・波型・矩形波型・ジグザグ型・円弧連設型、あるいは直線と円弧の交互連鎖型等の形態を備えた長尺シートにて形成されると共に、前記ブラインド羽根集合部分の表面と裏面には、それぞれ異なる装飾部・広告部を形成して成ることを特徴とするブラインド。
【請求項２】
前記ブラインド羽根それぞれは、手動式もしくは自動式の反転機構によって表裏反転可能として成る請求項１記載のブラインド。
【請求項３】
前記ブラインド羽根それぞれには、任意の形状を有する通気兼可視用の孔部が穿設されている請求項１または２記載のブラインド。
【発明の詳細な説明】
【技術分野】
【０００１】
本発明は、建築物における窓や、仕切られた部屋の出入口、自動車の後部ウィンド等に配置するブラインドに関する。
【背景技術】
【０００２】
従来から、このようなブラインドとしては、例えば、特許文献１に示すように、ヘッドボックスから垂下される昇降コードによる美観の低下を防止できるようにした横型ブラインドなる技術がある。
【０００３】
また、特許文献２に開示されているように、ハンガーレールの両端部でスラットを操作可能としながら、美観上好ましく、無用な誤操作を防止し、スラットの畳み込み位置を多様に選択し得るものとした縦型ブラインドなる技術がある。
【先行技術文献】
【特許文献】
【０００４】
【特許文献１】特開２０００−３２８８５９号公報
【特許文献２】特開２００６−２４９７８１号公報
【発明の概要】
【発明が解決しようとする課題】
【０００５】
しかしながら、従来においては、縦型もしくは横型のブラインドは、単なる矩形平面状もしくは矩形湾曲面状等のブラインド羽根によって形成されており、しかも、その表面（特に表裏両面）には何等の装飾も施されてはいないことから、デザイン性が劣るという問題点を有していた。
【０００６】
そこで、本発明は、叙上のような従来存した諸事情に鑑み創出されたもので、ブラインド羽根の平面形状を種々に変え、且つ表裏面にそれぞれ異なった装飾部・広告部を付与することで、展開した状態でのデザイン性を高めることができるブラインドを提供することを目的とする。
【課題を解決するための手段】
【０００７】
上述した課題を解決するために、本発明にあっては、複数のブラインド羽根を備えてなる縦型もしくは横型のブラインドであって、当該ブラインド羽根それぞれの平面形状が長手方向に沿って、直線型・波型・矩形波型・ジグザグ型・円弧連設型、あるいは直線と円弧の交互連鎖型等の形態を備えた長尺シートにて形成されると共に、前記ブラインド羽根集合部分の表面と裏面には、それぞれ異なる装飾部・広告部を形成して成ることを特徴とする。
【０００８】
また、前記ブラインド羽根それぞれは、手動式もしくは自動式の反転機構によって表裏反転可能として成るものとする。
【０００９】
さらに、前記ブラインド羽根それぞれには、任意の形状を有する通気兼可視用の孔部が穿設されているものとする。
【発明の効果】
【００１０】
本発明によれば、ブラインド羽根の平面形状を種々に変え、且つ表裏面にそれぞれ異なった装飾部・広告部を付与することで、展開した状態でのデザイン性を高めることができる。
【００１１】
すなわち、ブラインド羽根それぞれの平面形状が長手方向に沿って、直線型・波型・矩形波型・ジグザグ型・円弧連設型、あるいは直線と円弧の交互連鎖型等の形態を備えた長尺シートにて形成されて成るので、展開した状態でのデザイン性を高めることができる。
【００１２】
そして、前記ブラインド羽根集合部分の表面と裏面には、それぞれ異なる装飾部・広告部を形成してあるので、２倍のデザイン効果と広告効果を発揮することができる。
【００１３】
前記ブラインド羽根それぞれは、手動式もしくは自動式の反転機構によって表裏反転可能として成るので、それぞれに装飾部・広告部を形成してある表裏２面の切り替えが容易に行える。
【００１４】
前記ブラインド羽根それぞれには、任意の形状を有する通気兼可視用の孔部が穿設されているので、本来の通気性および可視化に加えて、デザイン性が高められる。
【図面の簡単な説明】
【００１５】
【図１】本発明を実施するための一形態を示す縦型ブラインドの展開状態の斜視図である。
【図２】同じく縦型ブラインドの反転機構の一例を示す斜視図である。
【図３】図中（ａ）乃至（ｄ）は縦型ブラインドの展開状態を示し、各ブラインド羽根の異なる平面形状の各例と、それぞれ異なる装飾部・広告部の形成例を示した正面図である。
【図４】同じく横型ブラインドの展開状態の斜視図である。
【図５】図中（ａ）乃至（ｄ）は横型ブラインドの展開状態を示し、各ブラインド羽根の異なる平面形状の各例と、それぞれ異なる装飾部・広告部の形成例を示した正面図である。
【発明を実施するための形態】
【００１６】
以下、図面を参照して本発明に係るブラインドの実施の一形態を詳細に説明する。
【００１７】
本発明に係るブラインドは、複数のブラインド羽根１ａ、１ｂ、１ｃ…を備えてなる縦型ブラインドＰもしくは横型ブラインドＱであって、当該ブラインド羽根１ａ、１ｂ、１ｃ…としては、例えば、アルミニウム等の金属製シート、プラスチック等の非金属製シート、その他の軽量なシート材等を使用している。
【００１８】
縦型ブラインドＰの具体的な構成は、図１に示すように、当該縦型ブラインドＰが展開されたり、側方へ畳み込まれたりするために、窓枠等の上縁側に固定されるヘッドレール２内を長手方向にスライド移動可能に複数のランナー３が配列され、各ランナー３には、後述する回転軸１１を介して縦長矩形状のブラインド羽根１ａ、１ｂ、１ｃ…が吊下げられる。
【００１９】
また、ブラインド羽根１ａとこれに隣接するブラインド羽根１ｂの上下両側にける左右角部同士を、ワイヤー４で連結してあり、縦型ブラインドＰを開いた状態では、各ブラインド羽根１ａ、１ｂ、１ｃ…同士の間隔をこのワイヤー４によって一定の長さに保持できるようにしてある。
【００２０】
また、この各ブラインド羽根１ａ、１ｂ、１ｃ…の下端には、包袋状のバランスウエイト５が吊下支持されており、各ブラインド羽根１ａ、１ｂ、１ｃ…の吊り下げ直立性を保持すると共に、例えば風や振動等による各ブラインド羽根１ａ、１ｂ、１ｃ…の跳ね上がりやばたつき等を防止している。
【００２１】
さらに、このヘッドレール２端部から垂下されるロッド状の操作部６の回転操作により、各ブラインド羽根１ａ、１ｂ、１ｃ…が表裏反転可能とする手動式の反転機構Ｒを備えている。
【００２２】
すなわち、図２に示すように、前記ランナー３の一端側には通孔７が形成され、この通孔７は、ヘッドレール２内に架設されたガイドバー８にスライド自在となって装着されている。そして、この通孔７に隣接すべくランナー３の中央内部には、中央に角孔９ａを有するウオームホイール９が回転可能に配されている。
【００２３】
また、ウオームホイール９には、ウオームギア１０が噛合され、該ウオームギア１０には回転軸１１を介して、ブラインド羽根１ａ、１ｂ、１ｃ…が吊下げられる。
【００２４】
一方、ウオームホイール９の中央角孔９ａには角棒状の操作バー１２が軸方向にスライド自在に挿入され、該操作バー１２の端部は互いに噛合する傘歯車１３、１４を介して操作部６に連結されている。
【００２５】
而して、この手動式の反転機構Ｒにおいて、操作部６を手でもって一方向に回転すると、互いに噛合する傘歯車１３、１４を介して操作バー１２がウオームホイール９と共に回転する。この回転によりウオームギア１０が回転し、回転軸１１を介して、ブラインド羽根１ａ、１ｂ、１ｃ…が回転するのである。
【００２６】
図３に示すように、各ブラインド羽根１ａ、１ｂ、１ｃ…は、それぞれの平面形状が長手方向に沿って、直線型（図３（ａ）参照）としたり、直線と円弧の交互連鎖型（図３（ｂ）参照）としたり、矩形波型（図３（ｃ）参照）としたり、あるいは波型（図３（ｄ）参照）とした長尺シートにて形成されている。
【００２７】
すなわち、縦型ブラインドＰを展開してから、手動式の反転機構Ｒにより、操作部６を手でもって一方向に回転させることで、各ブラインド羽根１ａ、１ｂ、１ｃ…を回転させて各表側を平面状に隣接配置させた場合には、これら各ブラインド羽根１ａ、１ｂ、１ｃ…の左右縁部同士（上記した各種の平面形状の左右縁端部）が合致しあう状態となる。
【００２８】
さらに、操作部６を手でもって回転させることで、各ブラインド羽根１ａ、１ｂ、１ｃ…を回転させて各裏側を平面状に隣接配置させた場合には、これまた各ブラインド羽根１ａ、１ｂ、１ｃ…の左右縁部同士（上記した各種の平面形状の左右縁端部）が合致しあう状態となる。このように、平面形状を種々に変えることでデザイン性が高められるようにしてある。
【００２９】
尚、この他の各ブラインド羽根１ａ、１ｂ、１ｃ…の平面形状としては、ジグザグ型・円弧連設型、あるいは前記した各種の形状と共にこれらの形状を組み合わせて形成されていても良い。
【００３０】
また、各ブラインド羽根１ａ、１ｂ、１ｃ…それぞれには、任意の形状を有する通気兼可視用の孔部１５が穿設されている。
【００３１】
例えば、図３（ａ）に示すように、各ブラインド羽根１ａ、１ｂ、１ｃ…それぞれに真円形状となった複数の孔部１５が穿設され、これにより本来の通気性および可視化に加えて、デザイン性が高められるようにしてある。
【００３２】
尚、孔部１５の形状は、真円形状に限定されず、例えば、楕円形状、三角・四角等の角孔形状、スリット形状、格子形状、ネット形状等のいずれかによって形成しても良い。
【００３３】
さらに、前記ブラインド羽根１ａ、１ｂ、１ｃ…集合部分の表面と裏面には、それぞれ異なるデザイン・色柄・文字等の装飾部・広告部１６を形成してある。
【００３４】
例えば、図３（ｂ）に示すように、ブラインド羽根１ａ、１ｂ、１ｃ…集合部分の表面には、花柄の模様による装飾部１６が描かれており、ブラインド羽根１ａ、１ｂ、１ｃ…集合部分の裏面には、これとは異なったデザイン・色柄・文字等の装飾部・広告部１６を形成する。
【００３５】
または、図３（ｃ）に示すように、ブラインド羽根１ａ、１ｂ、１ｃ…集合部分の表面には、宣伝用の文字や数字による広告部１６が描かれており、ブラインド羽根１ａ、１ｂ、１ｃ…集合部分の裏面には、これとは異なったデザイン・色柄・文字等の装飾部・広告部１６を形成する。
【００３６】
あるいは、図３（ｄ）に示すように、ブラインド羽根１ａ、１ｂ、１ｃ…集合部分の表面には、キャラクタ等の絵による装飾部・広告部１６が描かれており、ブラインド羽根１ａ、１ｂ、１ｃ…集合部分の裏面には、これとは異なったデザイン・色柄・文字等の装飾部・広告部１６を形成する。
【００３７】
尚、これらの異なるデザイン・色柄・文字等の装飾部・広告部１６の組合わせには、上記した以外に、種々のバリエーションが考えられることは言うまでもない。
【００３８】
次に、以上のように構成された本発明・ブラインドの形態における使用、動作の一例について詳細に説明する。
【００３９】
先ず、先頭にあるブラインド羽根１ａを手でもって展開する方向に引く。このとき、ヘッドレール２内の各ランナー３は、ワイヤー４によって牽引されてスライドし、縦型ブラインドＰが展開した状態では、各ブラインド羽根１ａ、１ｂ、１ｃ…同士の間隔は、このワイヤー４によって一定の長さに保持される。
【００４０】
この手動式の反転機構Ｒにおいて、操作部６を手でもって一方向に回転すると、互いに噛合する傘歯車１３、１４を介して操作バー１２がウオームホイール９と共に回転する。この回転によりウオームギア１０が回転し、回転軸１１を介して、ブラインド羽根１ａ、１ｂ、１ｃ…が回転する。
【００４１】
すなわち、操作部６を手でもって一方向に回転させると、各ブラインド羽根１ａ、１ｂ、１ｃ…が回転させられ、各表側を平面状に隣接配置させる。このとき、これら各ブラインド羽根１ａ、１ｂ、１ｃ…の左右縁部同士（上記した各種の平面形状の左右縁端部）が合致しあう状態となり、前記ブラインド羽根１ａ、１ｂ、１ｃ…集合部分の表面に描かれている装飾部・広告部１６が視認できる状態となる。
【００４２】
また、各ブラインド羽根１ａ、１ｂ、１ｃ…それぞれに形成された任意の形状を有する通気兼可視用の孔部１５により、通気性および可視化に加えて、デザイン性が高められる。
【００４３】
さらに、操作部６を手でもって回転させることで、各ブラインド羽根１ａ、１ｂ、１ｃ…が回転させられ、各裏側を平面状に隣接配置させる。このとき、これまた各ブラインド羽根１ａ、１ｂ、１ｃ…の左右縁部同士（上記した各種の平面形状の左右縁端部）が合致しあう状態となり、前記ブラインド羽根１ａ、１ｂ、１ｃ…集合部分の裏面に描かれている異なったデザイン・色柄・文字等の装飾部・広告部１６が視認できる状態となる。
【００４４】
次に、本発明に係るブラインドにおいて横型ブラインドＱの具体的な構成について詳細に説明する。
【００４５】
すなわち、横型ブラインドＱは、図４に示すように、ヘッドボックス２１から複数本のラダーコード２２を介して横長矩形状の多数段のブラインド羽根１ａ、１ｂ、１ｃ…が吊下支持され、そのラダーコード２２の下端にボトムレール２３が吊下支持される。
【００４６】
前記各ブラインド羽根１ａ、１ｂ、１ｃ…には、複数本の昇降コード２４が挿通され、その昇降コード２４の一端は前記ボトムレール２３に接続されると共に、他端は前記ヘッドボックス２１内に案内され、同ヘッドボックス２１の一側に設けられた開口部２６から自重降下防止装置２５を介して垂下され、先端に取っ手２７が設けられる。
【００４７】
そして、取っ手２７を介して昇降コード２４を開口部２６から引き出すことにより、各ブラインド羽根１ａ、１ｂ、１ｃ…が引上げられ、自重降下防止装置２５の作動を解除して、各ブラインド羽根１ａ、１ｂ、１ｃ…およびボトムレール２３の重量に任せて昇降コード２４を開口部２６からヘッドボックス２１内へ引込ませることで、各ブラインド羽根１ａ、１ｂ、１ｃ…が下降するようになっている。
【００４８】
手動式の反転機構Ｒとしては、前記ラダーコード２２を直接手でもって引上げるかあるいは引き下げることで、各ブラインド羽根１ａ、１ｂ、１ｃ…が正転方向または反転方向に回動されるようにしてある。
【００４９】
尚、上記した縦型または横型のブラインドにおいて、反転機構Ｒを手動式とする替わりに、自動式としても良い。この場合には、ヘッドレール２またはヘッドボックス２１内の一端側に不図示の駆動モータ、制御回路、スイッチ等の駆動機構を設ける。
さらに、各ブラインド羽根１ａ、１ｂ、１ｃ…を任意の角度で自動的に回転調整できるようにしても良い。
【００５０】
図５に示すように、各ブラインド羽根１ａ、１ｂ、１ｃ…は、それぞれの平面形状が長手方向に沿って、直線型（図５（ａ）参照）としたり、直線と円弧の交互連鎖型（図５（ｂ）参照）としたり、矩形波型（図５（ｃ）参照）としたり、あるいは波型（図５（ｄ）参照）とした長尺シートにて形成されている。
【００５１】
すなわち、横型ブラインドＱを展開してから、手動式の反転機構Ｒにより、ラダーコード２２を直接手でもって引上げることで、各ブラインド羽根１ａ、１ｂ、１ｃ…を回転させて各表側を平面状に隣接配置させた場合には、これら各ブラインド羽根１ａ、１ｂ、１ｃ…の上下縁部同士（上記した各種の平面形状の上下縁端部）が合致しあう状態となる。
【００５２】
さらに、ラダーコード２２を直接手でもって引き下げることで、各ブラインド羽根１ａ、１ｂ、１ｃ…を回転させて各裏側を平面状に隣接配置させた場合には、これまた各ブラインド羽根１ａ、１ｂ、１ｃ…の上下縁部同士（上記した各種の平面形状の上下縁端部）が合致しあう状態となる。このように、平面形状を種々に変えることでデザイン性が高められるようにしてある。
【００５３】
尚、この他の各ブラインド羽根１ａ、１ｂ、１ｃ…の平面形状としては、矩形波型・ジグザグ型・円弧連設型、あるいは前記した各種の形状と共にこれらの形状を組み合わせて形成されていても良い。
【００５４】
また、各ブラインド羽根１ａ、１ｂ、１ｃ…それぞれには、任意の形状を有する通気兼可視用の孔部１５が穿設されている。
【００５５】
例えば、図５（ａ）に示すように、各ブラインド羽根１ａ、１ｂ、１ｃ…それぞれに真円形状となった複数の孔部１５が穿設されるか、あるいは、図５（ｂ）に示すように、楕円形状と角孔形状とが交互に混じった孔部１５が穿設される。
【００５６】
これにより本来の通気性および可視化に加えて、デザイン性が高められるようにしてある。尚、孔部１５の形状は、真円形状、楕円形状、角孔形状に限定されず、例えば、スリット形状、格子形状、ネット形状等のいずれかによって形成しても良い。
【００５７】
さらに、前記ブラインド羽根１ａ、１ｂ、１ｃ…集合部分の表面と裏面には、それぞれ異なるデザイン・色柄・文字等の装飾部・広告部１６を形成してある。
【００５８】
例えば、図５（ｃ）に示すように、ブラインド羽根１ａ、１ｂ、１ｃ…集合部分の表面には、キャラクタの絵による装飾部・広告部１６が描かれており、ブラインド羽根１ａ、１ｂ、１ｃ…集合部分の裏面には、これとは異なったデザイン・色柄・文字等の装飾部・広告部１６を形成する。
【００５９】
または、図５（ｄ）に示すように、ブラインド羽根１ａ、１ｂ、１ｃ…集合部分の表面には、宣伝用の文字や数字による広告部１６が描かれており、ブラインド羽根１ａ、１ｂ、１ｃ…集合部分の裏面には、これとは異なったデザイン・色柄・文字等の装飾部・広告部１６を形成する。
【００６０】
尚、これらの異なるデザイン・色柄・文字等の装飾部・広告部１６の組合わせには、上記した以外に、種々のバリエーションが考えられることは言うまでもない。
【００６１】
また、上記した縦型ブラインドＰまたは横型ブラインドＱにおける反転機構Ｒの構成は、本発明に係るブラインドの一実施例にしか過ぎず、その他の種々の機構が存在することは言うまでもない。
【符号の説明】
【００６２】
Ｐ                      縦型ブラインド
Ｑ                      横型ブラインド
Ｒ                      反転機構
（１ａ、１ｂ、１ｃ…）  ブラインド羽根
２                      ヘッドレール
３                      ランナー
４                      ワイヤー
５                      バランスウエイト
６                      操作部
７                      通孔
８                      ガイドバー
９                      ウオームホイール
９ａ                    角孔
１０                    ウオームギア
１１                    回転軸
１２                    操作バー
１３、１４              傘歯車
１５                    孔部
１６                    装飾部・広告部
２１                    ヘッドボックス
２２                    ラダーコード
２３                    ボトムレール
２４                    昇降コード
２５                    自重降下防止装置
２６                    開口部
２７                    取っ手
【図１】
2010270435.tif 000003
【図２】
2010270435.tif 000004
【図３】
2010270435.tif 000005
【図４】
2010270435.tif 000006
【図５】
2010270435.tif 000007